(57)【要約】【課題】本発明の目的は、駆動回路と駆動方法を提供することである。該駆動回路と該駆動方法は、液晶ディスプレイの画素形成過程による生ずる、非対称なプラスとマイナスの極性の問題を効率よく解決することに適合される。       本発明のもう1つの目的は、ディスプレイに適合される、駆動回路と駆動方法を提供することであり、該ディスプレイは、マトリックス状に配置された複数の画素を構成し、該複数の画素のそれぞれは、第１選択線と第２選択線により選択的に駆動され、表示用データはデータ線を経由して画素に転送される。【解決手段】デュアルセレクトダイオードディスプレイの駆動方法と駆動装置が提供される。該ディスプレイの画素群のそれぞれは、選択線の一対により駆動され、該シグナルの極性は、異なるフレーム数に応じて交互に変更することができる。該駆動方法と該駆動装置は、通常の画素電圧の非対称なプラスとマイナスの極性のバランスをとり、通常の駆動方法におけるちらつき減少を効率よく防止することに適合される。【選択図】図４A
2006343748.tif 000002
【特許請求の範囲】
【請求項１】
マトリックス駆動ディスプレイに適合される駆動方法であって、該マトリックス駆動ディスプレイは、マトリックス状に配置された複数の画素を有し、各画素は第１選択線と第２選択線により選択的に駆動され、データ線を経由して表示されるデータが移送されるようになっており、該駆動方法は、
データ線に印加される電圧の極性がフレーム毎に更新される際に、第１選択線と第２選択線に印加される電圧の極性を相補的として、第１選択線と第２選択線にそれぞれ印加される電圧の極性を交互に変更する該駆動方法。
【請求項２】
第１選択線と第２選択線にそれぞれ印加される電圧の極性を、所定の規則に従って変更する、請求項１記載の駆動方法。
【請求項３】
前記所定の規則が、印加される電圧の極性をフレーム数の特定個数の中において変更する、請求項２記載の駆動方法。
【請求項４】
第１選択線と第２選択線にそれぞれ印加される電圧の極性を、ランダムな態様で変更する、請求項１記載の駆動方法。
【請求項５】
前記ランダムな態様は、第１選択線と第２選択線にそれぞれ印加される電圧の極性をフレーム数のランダムな個数の中において変化させることである、請求項４記載の駆動方法。
【請求項６】
同一フレームの第１選択線の全てに印加される電圧がプラス極性またはマイナス極性であり、第１選択線と第２選択線にそれぞれ印加される該電圧の極性が相補的である、請求項１記載の駆動方法。
【請求項７】
同一フレームの第１選択線の全てに印加される電圧の極性を、所定の規則に従って交互に変更し、第１選択線と第２選択線にそれぞれ印加される電圧の該極性が相補的である、請求項１記載の駆動方法。
【請求項８】
前記所定の規則が、印加される電圧の極性を連続する数の特定個数中において変更することである、請求項７記載の駆動方法。
【請求項９】
前記ランダムな態様は、同一フレームの第１選択線の全てに印加される電圧の極性を交互に変更させ、第１選択線と第２選択線に印加される電圧の該極性が相補的である、請求項１記載の駆動方法。
【請求項１０】
電圧の極性を連続の数のランダムな番号の中においてランダムに変更する、請求項９記載の駆動方法。
【請求項１１】
データ線に印加されるデータ電圧がプラスの場合、第１選択線に印加される電圧の極性をプラスとし、データ線に印加されるデータ電圧がマイナスの場合、第１選択線に印加される電圧の極性がマイナスとすることにより、第１選択線と第２選択線にそれぞれ印加される電圧の極性を相補させる、請求項１記載の駆動方法。
【請求項１２】
データ線に印加される電圧の極性がプラスの場合、第１選択線に印加される電圧をマイナスとし、データ線に印加される電圧がマイナスの場合は第１選択線に印加される電圧の極性がプラスとすることにより、第１選択線と第２選択線にそれぞれ印加される電圧の極性を相補させる、請求項１記載の駆動方法。
【請求項１３】
第１選択線と第２選択線を経由して画素の駆動に適合する駆動方法で、
第１選択線と第２選択線にそれぞれ印加される電圧の極性がフレーム毎に更新される際に、該極性を交互に変更させることにより、第１選択線と第２選択線にそれぞれ印加される電圧の極性を相補させる、駆動方法。
【請求項１４】
所定の規則が、第１選択線と第２選択線にそれぞれ印加される電圧の極性を変更する、請求項１３記載の駆動方法。
【請求項１５】
所定の規則が、フレーム数のある個数の中において印加される電圧の極性を変更する、請求項１４記載の駆動方法。
【請求項１６】
ランダムな態様が、第１選択線と第２選択線にそれぞれ印加される電圧の極性を変更する、請求項１３記載の駆動方法。
【請求項１７】
前記ランダムな態様は、フレーム数のランダムな個数の中において、印加される電圧の極性を変更することである、請求項１６記載の駆動方法。
【請求項１８】
マトリックス駆動式ディスプレイの駆動回路で、該駆動回路はディスプレイパネルに接続され、該ディスプレイパネルは、マトリックス状に配置され各々第１選択線と第２選択線により選択的に駆動される画素群を有し、表示用データがデータ線を経由して該画素に転送されるようになっており、該駆動回路は、
スキャン信号を受信し、タイミングパルス信号に従い、アドレスチャネルにスキャン信号を保存するシフトレジスタと、
許可信号を受信し、それによりシフトレジスタのアドレスチャネルに保存されたスキャンデータを転送するよう適合させた許可選択ユニットと、
許可選択ユニットに接続されシフトレジスタのアドレスチャネルから転送されたスキャンデータを受信し、レベルシフトプロセスを処理するレベルシフタと、
レベルシフタからレベルシフトされたスキャンデータを選択的に出力するのに適合させたマルチプレクサと、
該マルチプレクサからレベルシフトしたスキャンデータを受け取り、画素に対応する第１選択線と第２選択線を経由して該画素を駆動するよう適合させた出力バッファとを有し、第１選択線と第２選択線にそれぞれ印加される電圧の極性を、フレーム毎に更新される際に交互に変更することにより、第１選択線と第２選択線にそれぞれ印加される電圧の極性を相補する、駆動回路。
【請求項１９】
所定の規則が、第１選択線と第２選択線にそれぞれ印加される電圧の極性を変更する、請求項１８記載のマトリックス駆動式ディスプレイ用の駆動回路。
【請求項２０】
所定の規則が、フレームの規模内において印加される電圧の極性を変更する、請求項１９記載のマトリックス駆動式ディスプレイ用の駆動回路。
【請求項２１】
ランダムな態様が、第１選択線と第２選択線にそれぞれ印加される電圧の極性を変更する、請求項１８記載のマトリックス駆動式ディスプレイ用の駆動回路。
【請求項２２】
印加される電圧の極性をフレーム数のランダムな個数内で、ランダムに変更する、請求項２１記載のマトリックス駆動式ディスプレイ用の駆動回路。
【請求項２３】
同一フレームの第１選択線の全てに印加される電圧の極性を、プラスまたはマイナスとすることにより、第１選択線と第２選択線にそれぞれ印加される電圧の極性を相補する、請求項１８記載のマトリックス駆動式ディスプレイ用の駆動回路。
【請求項２４】
所定の規則が、同一フレームの第１選択線の全てに印加される電圧の極性を交互に変更することにより、第１選択線と第２選択線にそれぞれ印加される電圧の極性を相補する、請求項１８記載のマトリックス駆動式ディスプレイ用の駆動回路。
【請求項２５】
所定の規則が、印加される電圧の極性を連続した数の特別な個数の中で、変更する、請求項２４記載のマトリックス駆動式ディスプレイ用の駆動回路。
【請求項２６】
ランダムな態様が、同一選択線の第１選択線の全てに印加される電圧の極性を交互に変更することにより、第１選択線と第２選択線にそれぞれ印加される電圧の極性を相補する、請求項１８記載のマトリックス駆動式ディスプレイ用の駆動回路。
【請求項２７】
ランダムな態様が、連続した数のランダムな個数の中で印加される電圧の極性を変更する、請求項２６記載のマトリックス駆動式ディスプレイ用の駆動回路。
【請求項２８】
データ線に印加される電圧がプラスの場合は第１選択線に印加される電圧の極性をプラスとし、データ線に印加される電圧がマイナスの場合は第１選択線に印加される電圧の極性をマイナスとすることにより、第１選択線と第２選択線にそれぞれ印加される電圧の極性を相補する、請求項１８記載のマトリックス駆動式用の駆動回路。
【請求項２９】
データ線に印加されるデータ電圧がプラスの場合は第１選択線に印加される電圧の極性をマイナスとし、データ線に印加されるデータ電圧がマイナスの場合は第１選択線に印加される電圧をプラスとすることにより、第１選択線と第２選択線にそれぞれ印加される電圧の極性を相補する、請求項１８記載のマトリックス駆動式用のマトリックス駆動回路。
【発明の詳細な説明】
【技術分野】
【０００１】
本発明は、ディスプレイ駆動方法とその駆動装置、特にデュアルセレクトダイオード（ＤＳＤ）ＬＣＤ駆動方法とその駆動方法に関する。
【背景技術】
【０００２】
ＬＣＤの操作原理は、電界を生じさせ、液晶分子をコントロールすることにより、光を透過・遮断することにある。薄膜トランジスタ（ＴＦＴ）や電界効果トランジスタ（ＦＥＴｓ）などといったアクティブ素子が、各画素のスイッチのＯＮ／ＯＦＦの制御に使用される。スキャン信号が入力され、アクティブ素子を選択（ＯＮ）状態にする時、アクティブ素子を経て表示用信号が画素に転送される。一方、アクティブ素子が非選択（ＯＦＦ）状態である時、表示用信号が画素に一時的に保管され、次回駆動されるのを待つ。言い換えれば、該画素のスイッチングは、液晶（ＬＣ）コンデンサを選択時間内にデータ電圧レベルにまで正確に充電し、非選択時間の短い時間の間、該電圧レベルを維持するために行うようになっている。
【０００３】
従来の液晶ディスプレイでは、ある期間（例えば、フレーム速度が60フレーム／秒）内に周期的に各画素の状態が更新される必要がある。これは必要不可欠である。というのも、画素にとって、該当する状態のそれら電圧レベルを維持・保持する時間は限られており、また該フレームは、表示用データに応じて変わる傾向がある為である。それゆえ、画素に対して該電圧レベルをいかに迅速にスイッチするか、またはいかに電荷を蓄え、該電荷を少なくとも１フレームの時間、保持することが非常に重要である。
【０００４】
米国特許第４,７３１,６１０は、安定した電気マトリックスシステムと操作方法を開示している。その特許公報によると、一対のダイオード、即ちデュアルセレクトダイオード（DSD）により各画素が駆動される従来のデュアルセレクトダイオード液晶ディスプレイ駆動方法が開示されている。図１を参照すると、液晶ディスプレイにおける従来の画素の等価回路概図が示されている。該画素構造１００は、一対の双方向ダイオード１１０、１２０及び液晶コンデンサ１３０を含んでいる。そのような双方向ダイオードは、２つの閾値電圧を有し、該電圧は同じ大きさで極性が逆である。該画素構造１００は、１対の選択線 SAn, SBn 及びデータ線 Di に接続されている。画素の選択は、選択線 SAn, SBn の電圧レベルにより決定され、該画素データはデータ線 Di を介して入力される。
【０００５】
液晶コンデンサ１３０が充電される際、選択線 SAn に双方向ダイオード１１０の電圧閾値より高いプラス電圧が印加され得るようになっており、選択線 SＢn に双方向ダイオード１２０の電圧閾値より低いマイナス電圧が印加され得るようになっており、電流がそれぞれ選択線 SAn と SＢn を経由して流れ、液晶コンデンサ１３０の充電を早めることが可能となっている。データ電圧がデータ線 Di を介して印加されることにより、液晶コンデンサ１３０が所定の電圧値までチャージされると、選択線 SAn と SＢnに閾値電圧より小さな絶対値を有し且つ極性が逆である２つの電圧がそれぞれ印加され、液晶コンデンサ１３０を効率良く充電する。
【発明の開示】
【発明が解決しようとする課題】
【０００６】
そのような液晶ディスプレイ駆動方法や駆動装置においては、選択線 SAn ( 上記選択線としても参照 ) に印加される全電圧は、プラス極性からなり、選択線 SBn ( 上記選択線としても参照 ) に印加される全電圧はマイナス極性からなる。従って、画素等価回路構造を図示する図２を参照すると、該画素形成過程における誤差やずれにより、双方向ダイオード１２０と液晶コンデンサ１３０の間の等価抵抗１４０に対して、該等価抵抗１４０に渡って電圧差ΔVpが保持される可能性がある。また、選択線 SAｎ、SBｎ、およびデータ電圧データ線 Di に印加されるデータ電圧 VData 及び液晶コンデンサ130に蓄えられる電圧値 Vlc を概略的に示す図３を参照すると、該等価抵抗１４０が、設定データ電圧 Vdata と該液晶コンデンサ１３０に蓄えられる該電圧 Vlc との間にバイアスを生じる可能性がある。そのような、プラス極性とマイナス極性が非対称である画素電圧駆動は、液晶ディスプレイのちらつきを引き起こす可能性がある。
【課題を解決するための手段】
【０００７】
本発明の目的は、液晶ディスプレイの画素形成段階における不正確やかたよりにより生ずる、プラス極性とマイナス極性が非対称となる問題を効率良く解決するのに適合させた駆動回路や駆動方法を提供することである。
本発明のもう１つの目的は、ディスプレイに適合させた駆動回路や駆動方法を提供することにあり、該ディスプレイはマトリックス状に配置された画素群を有し、該各画素は第１選択線と第２選択線により選択的に駆動され、ディスプレイデータはデータ線を経由して画素に伝達されるようになっている。
【０００８】
本発明の第１の視点は、マトリックス駆動式ディスプレイに適合させた駆動方法を提供することであり、該マトリックス駆動ディスプレイはマトリックス状に配置された画素群を有し、該各画素は第１選択線と第２選択線により選択的に駆動され、表示用データはデータ線を経由して転送されるようになっており、
該駆動方法は、データ線に印加される電圧の極性がフレーム毎に更新される際に、第１選択線と第２選択線にそれぞれ印加される電圧の極性が相補的であるように、第１選択線と第２選択線にそれぞれ印加される電圧の極性を交互に変更することを構成する。
以下は、本発明の第１視点の好ましい実施態様である。
( 1 )  第１選択線と第２選択線にそれぞれ印加される電圧の極性を所定の規則に従い交互に変更する。
( 2 )  上記（１）において、所定の規則は、第１選択線と第２選択線にそれぞれ印加される電圧の極性を、フレーム数の特定個数の中において変更することである。
【０００９】
( 3 )  本発明の第１の視点においては、第１選択線と第２選択線にそれぞれ印加される電圧の極性をランダムな態様で交互に変更する。
( 4 )  上記（３）では、ランダムな態様は、フレーム数のランダムな個数の中にて印加される電圧の極性をランダムに変更する。
( 5 )  本発明の第１の視点において、同一フレームの第１選択線の全てに印加される電圧がプラス極性またはマイナス極性で、且つ第１選択線と第２選択線にそれぞれ印加される電圧が相補的である。
( 6 )  本発明の第１の視点において、所定の規則に従って同一フレームの第１選択線の全てに印加される電圧の極性を交互に変更し、且つ第１選択線と第２選択線にそれぞれ印加される電圧の極性が相補的である。
( 7 )  上記（６）において、所定の規則は連続する数の特別な番号内において印加される電圧の極性を変更することである。
( 8 )  本発明の第１特徴において、同一フレームの第１選択線の全てに印加される電圧の極性をランダムな態様で交互に変更し、且つ、第１選択線と第２選択線にそれぞれ印加される電圧の極性が相補的である。
【００１０】
( 9 )  上記（８）において、ランダムな態様は連続する数のランダムな個数の中において印加される電圧の極性を変更することである。
( 10 ) 本発明の第１の視点において、データ線に印加されるデータ電圧の極性がプラスの場合、第１選択線に印加される電圧の極性をプラスとし、データ線に印加されるデータ電圧の極性がマイナスである場合、第１選択線に印加される電圧の極性がマイナスとすることにより、第１選択線と第２選択線にそれぞれ印加される電圧の極性を互いに相補的にする。
( 11 ) 本発明の第１の視点では、データ線に印加されるデータ電圧がプラスの場合、第１選択線に印加される電圧の極性がマイナスとし、データ線に印加される電圧がマイナスの場合、第１選択線に印加される電圧の極性がプラスとすることにより、第１選択線と第２選択線にそれぞれ印加される電圧の極性を互いに相補的にする。
【００１１】
本発明の第２の視点は、第１選択線と第２選択線を経由して画素を駆動するのに適合させた駆動方法を提供することであり、該駆動方法は、
各フレームにおいて極性が更新されるとき、第１選択線と第２選択線にそれぞれ印加される電圧の極性を相補的とし、第１選択線と第２選択線にそれぞれ印加される電圧の極性を交互に変更する。
以下のものは本発明の第２の視点において、好ましい実施形態である。
( 1 )  第１選択線と第２選択線にそれぞれ印加される電圧の極性が所定の規則により変更する。
( 2 )  上記（１）において、所定の規則がフレーム数のある個数の中において印加される電圧の極性を変更することである。
【００１２】
( 3 )  本発明の第２の視点では、第１選択線と第２選択線にそれぞれ印加される電圧の極性がランダムな態様で変更される。
( 4 )  上記（３）では、ランダムな態様はフレーム数のランダムな個数の中において印加される電圧の極性を変更することである。
本発明の第３の視点は、マトリックス駆動ディスプレイ用の駆動回路を提供することであり、該駆動回路はディスプレイパネルに接続されており、該ディスプレイパネルはマトリックス状に配置されている画素群を有し、該各画素は第１選択線と第２選択線により選択的に駆動され、ディスプレイデータはデータ線を経由して該画素に転送され、該駆動回路は
スキャンシグナルを受信し、タイミングパルスシグナルに従い、アドレスチャネルに該スキャンシグナルを保管することに適合させたアドレスチャネル群を有するシフトレジスタと、    
許可信号を受信し、それによりシフトレジスタのアドレスチャネルに保管されたスキャンデータを転送するのに適合させた許可選択ユニットと、
シフトレジスタのアドレスチャネルから転送されたスキャンデータを受信し、レベルシフトプロセスを処理するレベルシフタと、
レベルシフタからレベルシフトされたスキャンデータを選択的に出力するのに適したマルチプレクサ、そして、
該マルチプレクサからレベルシフトしたスキャンデータを受け取り、画素に対応する第１選択線と第２選択線を経由して該画素を駆動する出力バッファとを有し、第１選択線と第２選択線にそれぞれ印加される電圧の極性が相補的となるよう第１選択線と第２選択線にそれぞれ印加される電圧の極性を、フレーム毎の極性が更新される際に交互に変更する駆動回路である。
以下のものは、本発明の第３の視点において好ましい実施形態である。
【００１３】
( 1 )  第１選択線と第２選択線にそれぞれ印加される電圧の極性を所定の規則に従い変更する。
( 2 )  上記（１）において、所定の所定の規則がフレーム数のある大きさの範囲にある印加電圧の極性を変更することである。
( 3 )  本発明の第３の視点において、第１選択線と第２選択線にそれぞれ印加される極性をランダム態様で変更する。
【００１４】
( 4 )  上記（３）で、ランダムな態様はフレーム数のランダムな番号内で印加される電圧の極性を変更する。
( 5 )  本発明の第３の視点では、同一フレームの第１選択線の全てに印加される電圧の極性をプラスまたはマイナスとすることにより、第１選択線と第２選択線にそれぞれ印加される電圧の極性を互いに相補的とする。
( 6 )  本発明の第３の視点で、所定の規則に従って同一フレームの第１選択線の全てに印加される電圧の極性を交互に変更することにより、第１選択線と第２選択線にそれぞれ印加される電圧の極性を相補的とする。
( 7 )  上記（６）において、所定の規則が連続する数の特定番号内において印加される電圧の極性を変更する。
( 8 )  本発明の第３の視点では、同一フレーム内の第１選択線の全てに印加される電圧の極性をランダムな態様で交互に変更することにより、第１選択線と第２選択線にそれぞれ印加される電圧の極性を相補的とする。
( 9 )  上記（８）でランダムな態様は連続する数のランダムな個数の中において印加される電圧の極性を変更する。
( 10 ) 本発明の第３の視点では、データ線に印加されるデータ電圧がプラスの場合、第１選択線に印加される電圧の極性をプラス、データ線に印加される電圧の極性がマイナスの場合、第１選択線に印加される電圧の極性をマイナスとすることにより、第１選択線と第２選択線にそれぞれ印加される電圧の極性を相補的とする。
( 11 ) 本発明の第３の視点では、データ線に印加される電圧がプラスの場合、第１選択線に印加される電圧の極性をマイナスとし、データ線に印加される電圧の極性がマイナスの場合、第１選択線に印加される電圧の極性をプラスとすることにより、第１選択線と第２選択線にそれぞれ印加される電圧の極性を相補的とする。
【発明を実施するための最良の形態】
【００１５】
本発明は、駆動方法を提供し、該駆動方法は、マトリックス駆動式ディスプレイに適合させており、該マトリックス駆動式ディスプレイは、マトリックス状に配置されている画素群により構成されている。該画素のそれぞれは、第１選択線と第２選択線により選択的に駆動され、ディスプレイデータはデータ線を経由して該画素に伝達される。
【００１６】
該駆動方法は、各フレームの極性が更新される際に、第１選択線と第２選択線にそれぞれ印加される電圧の極性を交互に変更し、かつ第１選択線と第２選択線にそれぞれ印加される電圧の極性を相補的とする。第１選択線と第２選択線にそれぞれ印加される電圧の極性は、所定の規則に従うか、もしくはランダムな態様に変更する。一実施形態によると、該所定の規則はフレーム数のある個数の中で印加される電圧の極性を変更する。他の実施態様では、該所定の規則は連続する数の特異的な個数の中において印加される電圧の極性を変更することである。一実施形態では、ランダム態様はフレーム数のランダムな個数の中で印加される電圧の極性を変更する。また別の実施態様として、ランダムな態様が連続する数のランダムな個数の内で印加される電圧の極性を変更する。
【００１７】
本発明の駆動方法において、同一フレーム内の第１選択線の全てに印加されるそれらの電圧の極性をプラスとすることができ、第２選択線には相補的な極性の電圧が印加される。本発明の実施態様において、同一フレームに対する第１選択線の全てに印加されるそれらの電圧のプラス極性とマイナス極性が規則的に分散され、かつ第２選択線には、相補する極性の電圧が印加される。
【００１８】
本発明の実施態様では、同一フレームに対する第１選択線の全てに印加されるそれらの電圧をプラス極性とマイナス極性とに規則的に分配するとき、第１選択線の奇数番にはプラス極性の電圧が印加され、第１選択線の偶数番にマイナス極性の電圧が印加され、また第２選択線には相補する極性の電圧が印加される。
【実施例】
【００１９】
以下に実施態様が与えられ、本発明を詳細に説明する。
【００２０】
図４Aは、本発明の実施態様にかかる駆動方法を応用するマトリックスタイプ駆動ディスプレイにおける画素の等価回路構造の概図である。図４Aを参照すると、画素構造４００が双方向閾値電圧装置４１０、４２０及び等価コンデンサ４３０を含む。
使用される該双方向閾値電圧装置４１０、４２０は、例えば２つの閾値電圧を有し、該２つの閾値電圧は実質的に大きさは同じでありかつ極性は逆である。
実施形態によれば、設計の要件により、該双方向閾値電圧装置４１０と４２０は、例えば双方向ダイオードで構成され得るし、また他の１実施態様においては、それらは閾値電圧を有する薄膜トランジスタ（TFT）等の素子とすることもできる。また等価コンデンサ４３０は、例えば TFT 液晶ディスプレイに用いられる液晶コンデンサとすることもできる。
【００２１】
画素構造４００はｎ番目の選択線 SAｎ と SBｎ と i 番目のデータ線 Di に接続されており、該 n と i の値はディスプレイの構造に従って決定される。該画素の選択は選択線 SAｎと SBｎの電位により決定され、画素データはデータ線 Di を経由して入力される。
【００２２】
等価コンデンサ４３０が充電される時、SAｎ（上記の選択シグナル線としても参照） とSBｎ（上記の選択シグナル線としても参照）に電圧が印加され、等価コンデンサ４３０の充電を加速することができる。
等価コンデンサ４３０がデータ線 Di を経たデータ電圧により所定の電圧値に充電されると、絶対値が閾値電圧よりも小さく且つ極性が逆の１対の電圧が選択線ＳＡｎとＳＢｎにそれぞれ印加され、該電荷を等価コンデンサ４３０に効率よく充電する。
【００２３】
本発明により提供されるマトリックス型駆動ディスプレイ用の駆動方法の実施態様によると、プラスかマイナスかに制限されずに、フレーム数のある個数の中において、データ線 Di により印加されるデータ電圧の極性がフレーム毎に更新された際に、第１選択線 SAn と 第２選択線 SBn にそれぞれ印加される電圧の極性を交互に変更させることが可能である。選択線 SAn の全て（ｎは１〜Ｎの範囲であり、Ｎは水平方向のディスプレイライン番号を示す）、または選択線 SBn の全てがそれぞれ同一フレームの間中同一の極性である。本実施態様の視点によると、４フレーム数の時間内において、２つのプラス極性の電圧と２つのマイナス極性の電圧を上部の選択線 SAn の全てと下部選択線 SBn の全てに印加することができ、上部選択線と下部選択線に印加する電圧の極性は必ず逆でなければならない。
【００２４】
図４Ｂは、本発明の実施態様に係る駆動方法の選択シグナルの電圧レベルの概図である。図４Ｂを参照すると、選択線 SAn と SBn に印加される選択シグナルの電圧レベルが示されている。４フレーム全ての時間間隔の中で、第１選択線ＳＡｎに印加される電圧レベルが、 Vs-Vos、Vs+Vos、-Vs-Vos、そして、-Vs+Vos であり、ここで最初の２フレーム（フレームｎと フレーム n+1 ）の電圧の極性が、プラスで、最後の２フレーム（フレーム n+2 と フレーム n+3 ）の電圧の極性がマイナスであり；選択線 SBn に印加される電圧のレベルが、 -Vs-Vos、-Vs+Vos、Vs-Vos、-Vs+Vos であり、ここで最初の２フレーム（フレーム n と フレーム n+1 ）の電圧の極性がマイナスで、最後の２フレーム（フレーム n+2 と フレーム n+3 ）の電圧の極性がプラスであるということが見て取れる。ここで、Vs は選択シグナルの電圧であり、Vos はバイアス電圧であり、GND は理論的接地電圧を表し、該電圧は、０Ｖとすることもでき、また設計要件により調節することもできる。
【００２５】
図４Aと図４Bでの実施態様に適用される駆動方法の画素の等価回路構造によれば、形成過程でのわずかな不正確さにより欠陥を引き起こすかもしれない。たとえば、等価抵抗４４０が形成され、該等価抵抗４４０が双方向閾値電圧素子４２０と等価コンデンサ４３０と双方向閾値電圧素子４２０と交差点４１５に渡って電位差 ΔVp を生ずる可能性がある。これにより、本発明に基づきフレーム数のある個数の中にて、プラスまたはマイナスの極性に限られず選択線 SAn と選択線 SBn に印加される電圧を交互に変更することができるため、構成の不正確さにより引き起こされる非対称の極性の問題が解消され、ディスプレイのちらつき現象をそれに応じて回避することができる。
【００２６】
ここで言及される不正確な画素形成過程で生ずる等価抵抗は、本発明の実施態様を説明するほんの１例に過ぎないが、該不正確さは、例えば双方向性閾値電圧素子４１０と等価コンデンサ４３０との間にまた別の等価抵抗を生じたり、他の問題を生じたりするかもしれない。これらの問題全てがフレーム数のある番号内にて選択線 SAn と SBn に正反対の極性を有する電圧を交互に印加することにより解決され、該不正確さにより生ずる非対称なプラス極性とマイナス極性が除去することができる。
【００２７】
実施態様による駆動方式と従来の駆動方式をよりよく説明し且つ比較するために、下表１と２を参照。
2006343748.tif 000003
2006343748.tif 000004
ここで、選択シグナルの電圧 Vs = 15V、バイアス電圧 Vos =３V、データ電圧 Vd = 2.5V、画素電圧差 Vp =１V、と例えば想定し、 Vp は、双方向閾値電圧素子４１０、４２０と等価コンデンサ４３０との間にある交差点の電圧である。
【００２８】
表１、２から、従来の駆動方法における異なるフレームでの画素電圧変化と本発明の実施態様の駆動方法における異なるフレームでの画素電圧変化とが見られる。表１に示されている従来の駆動装置では、画素電圧が 5V, -6V, 5V, -6V 等と連続的に変化する。一方、表２で示される本実施態様の駆動方法では、画素電圧が 5V, -6V, 6V, -5V 等と連続的に変化する。本実施態様において、フレーム数のある個数の中にて選択線 SAn と SBn に相反する極性を有する電圧を交互に印加することで、画素形成段階の不正確さにより引き起こされる（プラス、マイナスといった）非対称極性の問題が解決されうる。
【００２９】
フレーム数のある番号内にて、選択線 SAn と SBｎ に対し相反する極性の電圧を交互に印加する本実施形態を更に詳細に説明するためには、図５を参照。該図は、本発明の実施態様の駆動方法による駆動電圧の波形概略図である。４フレーム全てにおいて、つまり図５に示される、フレーム n, フレーム n+1, フレーム n+2 及び フレーム n+3 において、選択線 SAn に印加される電圧レベルは  Vs-Vos, Vs+Vos, -Vs-Vos, 及び -Vs+Vos であり、最初の２フレーム（フレーム n, フレーム n+1）はプラス極性、最後の２フレーム（フレーム n+2, フレーム n+3）はマイナス極性である。選択線 SBn に印加される電圧レベルは、-Vs-Vos, -Vs+Vos, Vs-Vos, 及びVs+Vos であり、ここで最初の２フレーム（フレーム n とフレーム n+1）の該電圧の極性はマイナスで、最後の２フレーム（フレーム n+2, フレーム n+3）の該電圧の極性はプラスである。データ電圧 Vdata は、フレームごとに極性が連続的に反転して変化、つまりVd, -Vd, Vd, -Vdとなる；画素電圧 Vlc  は、Vd-(-Vos+ΔVp/2), -Vd-(Vos+ΔVp/2), Vd-(-Vos-ΔVp/2), 及び -Vd-(Vos-ΔVp/2) の順に変化する。ここで、その電位差 ΔVp は、不正確な工程により引き起こされる、先述の等価抵抗のような想定電位差を示している。Vs は、選択シグナルの電圧で、Vos はバイアス電圧、GNDは、論理的接地電圧で該電圧は、０Vとすることもできるし、または設計要件により調節されうる。４画素電位値を合計してみると、本実施態様の駆動方法が、不正確な工程により引き起こされるプラスとマイナスの極性が非対称となる問題を効率よく解消し、ちらつき現象を防止することが見てとれる。
【００３０】
先述の実施態様は、本発明の説明のために用いられた１例であり、ここで選択線SAｎについて最初２フレームの電圧レベルはプラス極性、最後の２フレームの電圧レベルにはマイナス極性、そして、選択線 SBｎの最初２フレームの電圧レベルはマイナス極性で、最後２フレームはプラス極性となる。しかしながら、もう一つの実施形態では、選択線 SAn と SBｎ に印加される電圧レベルは、実質的に同じ大きさで極性が逆であるならば、構成段階での不正確さにより引き起こされる非対称なプラスとマイナス極性がそれに応じて防止されうる。さらに、フレームの更新頻度に従って、異なる極性を有する電圧が４フレームの代わりに例えば６フレームといったフレーム数において該選択線 SAn と SBn に印加することも可能である。唯一の必要条件は、非対称のプラスとマイナス極性により引き起こされる電圧差がフレーム数の特定の個数において除去されることができることにある。
【００３１】
フレーム数のある個数にて選択線 SAｎと SBｎ に逆の極性を有する電圧を交互に印加した実施形態をさらに詳細に説明するため、本発明のもう図６を参照。これは本発明のもう一つの実施形態の駆動方法による駆動電圧の波形概図である。選択線 SAｎ と SBn の全てを奇数と偶数の線に分割して、異なる組み合わせの電圧を、本発明の目的を達するために各４フレーム数内の奇数と偶数番の選択線に交互に印加することができる。
【００３２】
図６に示されるように、上部選択線の全てを、奇数の上部選択線SAｎ’と偶数の上部選択線SAｎ’’に分割される。上部に選択線がN個あると想定する。ここで n = 1, 3, 5, ・・・ N-1 であり、n’ = 2, 4, 6, ・・・, N である。下部選択線の全ては、奇数の下部選択線 SBn’ と偶数の下部選択線 SBn’’ に分割される。下部選択線が N 個あると想定する。ここで、n = 1, 3, 5, ・・・ N-1 であり、n’ =2, 4, 6, ・・・ N である。
【００３３】
各４フレーム全てにおいて、つまり、示されているフレームｎ、n+1、n+2、n+3 において、偶数選択線 SAｎ に印加される電圧レベルは、Vs-Vos, Vs+Vos, -Vs-Vos, 及び -Vs+Vos であり、ここで最初の２フレーム（フレーム n、n+1）に関してはプラス極性、最後２フレーム（フレーム n+２、n+3）に関してはマイナス極性である。また偶数選択線 SAn’ に印加される電圧は、-Vs-Vos, -Vs+Vos, Vs-Vos, 及びVs+Vos であり、ここで最初の２フレームに関する電圧は、マイナス極性で、最後２フレームに関する電圧は、プラス極性である。
【００３４】
また、各４フレーム全ての中で、つまり示されるフレーム n、n+1、n+2、n+3 において、奇数の選択線 SBn’ に印加される電圧レベルは、-Vs-Vos, -Vs+Vos, Vs-Vos, 及びVs+Vos であり、ここで最初２フレーム（フレーム n、n+1）はマイナス極性、最後の２フレーム（フレーム n+２、n+３）はプラス極性である。偶数の選択線 SBn’’ に印加される電圧レベルは、Vs-Vos, Vs+Vos, -Vs-Vos, そして -Vs+Vos であり、ここで最初２フレームの電圧はプラス極性、最後２フレームの電圧はマイナス極性である。
【００３５】
データ電圧 Vdata は、フレーム毎に極性がフレームの極性反転順、即ち Vd と -Vd との間で極性が変更される。フレーム n、n+1、n+2、n+3のデータ電圧は、それぞれVd, -Vd, Vd, -Vd から-Vd, Vd, -Vd, Vdへと変化する。
【００３６】
奇数の選択線 SAn’とSBn’に対応する画素電圧 Vlc は、Vd-(-Vos+ΔVp/2), -Vd-(Vos+ΔVp/2), Vd-(-Vos-ΔVp/2), -Vd-(Vos-ΔVp/2) の順において変化する。また、偶数選択線 SAn’ と SBn’ に対応する画素電圧 Vlc は、Vd-(-Vos-ΔVp/2), -Vd+(Vos-ΔVp/2), Vd-(-Vos+ΔVp/2), -Vd-(Vos+ΔVp/2)の順に変化する。ここで、電位差 ΔVp は、先述の等価抵抗のような想定電圧差を表し、不正確な画素形成工程により引き起こされる。Vs は選択シグナルの電圧を示し、Vos はバイアス電圧を示し、GND は理論的０電圧を示し、該ＧＮＤは、０ｖとすることもでき、または設計の要件に従い調整できる。それらの４つの画素電圧値を合計すると、本実施態様の駆動方法が、不正確な画素形成工程により引き起こされる非対称な極性を効率良く除去し、さらにちらつき現象を回避することができる。
【００３７】
図７は、本発明の実施態様に係る駆動方法を応用したマトリックス型駆動ディスプレイの概図である。図７を参照すると、駆動回路７００はディスプレイパネル７０５に接続されている。このマトリックス型駆動ディスプレイにおいて、ディスプレイパネル７０５の各画素は、図示されているSA1, SB1, SA2, SB2 …  SAX, SBX のような一対の選択線 SAn とSBn  により選択的に駆動される、ここで X はアドレスチャネルの番号である。駆動回路700は、シフトレジスタ７１０、許可選択ユニット７２０、レベルシフタ７３０、マルチプレクサ７４０、そして出力バッファ７５０を含む。その駆動回路７００は、更にマルチプレクサ７４０に接続された極性制御回路７６０、出力バッファ７５０を含み、受信した極性変換シグナル POL に従って、極性の切り替えを制御する。
【００３８】
シフトレジスタ７１０はアドレスチャネル群を有し、スキャン開始シグナル（“STVD” や “STVU”で示す）を受信し、該スキャン開始シグナルをクロックパルスシグナルCLKとデータ転送方向Ｕ_Ｄのシグナルに従いアドレスチャネルに保管するのに適合させている。ここで“Ｄ”と“Ｕ”は“Ｕ_Ｄ”に対応する該データ転送の方向を表す。選択許可ユニット７２０はシフトレジスタ７１０に保管されているデータを順次レベルシフタ７３０、マルチプレクサ７４０、そして出力バッファ７５０へと許可シグナルＯＥに従って、転送するかどうかを決定するのに適合される。該レベルシフタ７３０は、受信したシグナルの電圧レベルをシフトし、該データをマルチプレクサ７４０経由で出力バッファ７５０へ転送することに適合される。図において、VSAH と VSAL はそれぞれ、選択線 SBn へ移送された高レベル電圧値と低レベル電圧値を表している。
【００３９】
要約すると、本発明は従来の画素電圧の非対称な極性のバランスをとり、従来の駆動方法により生ずるちらつき現象を効率よく除去する新しい駆動方法を提供する。
【００４０】
上述の本発明の好ましい実施態様の変更及び改変や適合が特定の要求に見合うように行うこともできる。本開示内容は、本発明の範囲を限定せずに本発明を例示することを意図している。好ましい実施態様で開示される本発明を包含する全ての改変は、付加クレームの範囲または書き連ねている本クレームと同じ範囲に当たる。
【図面の簡単な説明】
【００４１】
【図１】図 1は従来の LCD 画素等価回路の模式回路図である。
【図２】図 2は不正確な形成過程で形成された LCD 画素の等価回路の模式図である。
【図３】図 3は従来の LCD 駆動方法に従ったセレクト信号の電圧レベルの模式図である。
【図４Ａ】図 4A は本発明の実施態様にかかる駆動方法を適用するマトリクス駆動式ディスプレイの画素等価回路構造の模式図である。
【図４Ｂ】図 4B は発明の実施態様に係る駆動方法に関するセレクト信号の電圧レベルの模式図である。
【図５】図 5は本発明の実施態様の運転方法に従った駆動電圧の模式的波形図である。
【図６】図 6は本発明における別の実施態様の駆動方法に係る駆動電圧の模式的波形図である。
【図７】図7は本発明の実施態様に係る駆動方法を適用するマトリクス駆動ディスプレイの模式図である。
【符号の説明】
【００４２】
100    画素構造
110    双方向ダイオード
120    双方向ダイオード
130    液晶コンデンサ
140    等価抵抗
400   画素構造
410    電圧装置 (素子)
415   交差点
420   電圧装置 (素子)
430    等価コンデンサ
440   等価抵抗
700   駆動回路
705   ディスプレイパネル
710   シフトレジスタ
720   許可選択ユニット
730   レベルシフタ
740   マルチプレクサ
750   出力バッファ
760   極性制御回路
【図１】
2006343748.tif 000005
【図２】
2006343748.tif 000006
【図３】
2006343748.tif 000007
【図４Ａ】
2006343748.tif 000008
【図４Ｂ】
2006343748.tif 000009
【図５】
2006343748.tif 000010
【図６】
2006343748.tif 000011
【図７】
2006343748.tif 000012
【外国語明細書】
Title of the Invention
DSD LCD DRIVING METHOD AND DRIVING DEVICE THEREOF 
technical field
【0001】      
The present invention relates to a display driving method and a driving device thereof, and particularly to a dual select diode (DSD) LCD driving method and a driving devicethereof.
background art
【0002】      
The operational principle of LCD is to provide an electric field to control the liquid crystal molecules for allowing the light to be passed or shielded.  The active components, such as thin film transistors (TFTs) or field effect transistors (FETs), are used for controlling the switching ON/OFF of each pixel.  When a scan signal is inputted for making the active component at a selected status (ON), signals to be displayed can be transferred to the pixel via the active component.  Otherwise, if the active component is at a non-selected status (OFF), the signals to be displayed are temporarily stored in the pixels and wait to be driven for the next time.  In other words, switching of the pixels are adapted for the purpose of accurately charging the liquid crystal (LC) capacitor to a data voltage level during the selected times and maintaining that voltage level for a short time during the non-selected times.
【0003】      
In a conventional LCD, the status of each pixel needs to be updated periodically within a certain period (for example at a frame rate 60 frame/sec).  It is a necessary requirement, because for pixels the time to maintain or preserve their voltage levels of corresponding statuses is limited and also the framestend to change in response to the display data.  Therefore, how to rapidly switch the voltage levels or store the electric charge for a pixel and efficiently retain the electric charge lasting for at least a frame time is very important.
【0004】
U.S. Patent No. 4,731,610 disclosed a balanced drive electronic matrix system and a method of operating the same.  According to the disclosure of the patent, a conventional DSD LCD driving method, in which each pixel is driven by a pair of diodes, or the dual select diode (DSD) is disclosed.  Referring to FIG. 1, a schematic equivalent circuit diagram of a conventional pixel in an LCD is shown.  The pixel structure 100 includes a pair of bidirectional diodes 110, 120 and an LC capacitor 130.  Such a bidirectional diode has two threshold voltages which are equal in magnitude and opposite in polarity.  The pixel structure 100 is connected with a pair of select lines SAn, SBnand a data line Di. The selection of the pixels is determined by the voltage levels of the select lines SAn, SBn, and the pixel data is inputted via data line Di..
【0005】
When the LC capacitor 130 is to be charged, a positive voltage greater than the threshold voltage value of bidirectional diode 110 can be applied to a select line SAn; and a negative voltage lower than the threshold voltage value bidirectional diode 120 can be applied to a select line SBn, allowing current to flow via select lines SAnand SBn respectively and speeding up the charging of the LC capacitor 130.  When the LC capacitor 130 is charged to a predetermined voltage value by a data voltage applied by a data line Di, two voltages which have absolute values less than the threshold voltage and opposite in polarity are respectively applied to the select lines SAn and SBn for efficiently storing charges in the LC capacitor 130.
disclosure of invention
problem to be solved by the invention
【0006】      
According to such a LCD driving method and the driving device thereof, all voltages applied to select lines SAn (also referred to as upper select signal lines) are of positive polarity and all voltages applied to select lines SBn(also referred to as lower select signal lines) are of negative polarity.  Therefore, referring to FIG. 2 that illustrating the pixel equivalent circuit structure, an inaccuracy or deviation in the pixel fabricating process may cause an equivalent resistor 140 between the bidirectional diode 120 and the LC capacitor 130, a voltage difference ΔVp being retained across the equivalent resistor 140.  Also, referring to FIG. 3that schematically shows the select lines SAn, SBn, the data voltage Vdata applied to the data line Di, and the voltage value Vlc stored in the LC capacitor 130, the equivalent resistor 140 may result in bias between the predetermined data voltage Vdata and the voltage Vlc stored in the LC capacitor 130.  Such a pixel voltage driving of asymmetric positive polarity and negative polarity may cause displaying flickers of the LCD.
【0007】
An object of the invention is to provide a driving circuit and a driving method, adapted for efficiently solving the problem of asymmetric positive and negative polarities caused by imprecisionor deviation in pixel fabricating process of an LCD.
Another object of the invention is to provide a driving circuit and a driving method, adapted for a display, wherein the display comprises a plurality of pixels arranged in the form of a matrix, wherein each of the pixels is selectively driven by a first select line and a second select line, and the display data is transmitted to the pixel via a data line.
means for solving the problem
【0008】
A first aspect of the present invention is to provide a driving method, adapted for a matrix driving display, wherein the matrix driving display comprises a plurality of pixels arranged in a matrix, each of the pixels being selectively driven by a first select line and a second select line, data to be displayed being transferred via a data line; the driving method comprising:
alternately changing polarities of voltages respectively applied to the first select line and the second select line when a polarity of a voltage applied to the data line is updated for each frame, wherein the polarities of the voltages respectively applied to the first select line and the second select line are complementary.
Following are preferred embodiment of the first aspect of the present invention.
(1)    A alternately changing polarities of voltages respectively applied to the first select line and the second select line is performed according to a predetermined rule.
(2)    In the above (1), the predetermined rule is to change the polarities of the voltages applied within a specific number of frame times.
【0009】  
(3)    In the first aspect of the present invention, alternately changing polarities of voltages respectively applied to the first select line and the second select line is performed in a random 
manner.
(4)    In the above (3), the random manner is to change the polarities of the voltages applied within a random number of frame times.
(5)    In the first aspect of the present invention, the voltages applied to all of the first select lines of an identical frame is positive or negative in polarity, and the polarities of the voltages respectively applied to the first select line and the second select line are complementary.
【0010】  
(6)    In the first aspect of the present invention, alternatively changing polarities of the voltages applied to all of the first select lines of an identical frame is performed according to a predetermined rule, and the polarities of the voltages respectively applied to the first select line and the second select line are complementary.
(7)    In the above (6), the predetermined rule is to change the polarities of the voltages applied within a specific number of row times.
(8)    In the first aspect of the present invention, alternatively changing polarities of the voltages applied to all of the first select lines of an identical frame are performed according to a random manner, and the polarities of the voltages respectively applied to the first select line and the second select line are complementary.
【0011】  
(9)    In the above (8), the random manner is to change the polarities of the voltages applied within a random number of row times.
(10)   In the first aspect of the present invention, the polarity of the voltage applied to the first select line is positive if the data voltage applied to the data line is positive, and the polarity of the voltage applied to the first select line is negative if the data voltage applied to the data line is negative, so as to complement the polarities of the voltages respectively applied to the first select line and the second select line.
(11)   In the first aspect of the present invention, the polarity of the voltage applied to the first select line is negative if the data voltage applied to the data line is positive, and the polarity of the voltage applied to the first select line is positive if the data voltage applied to the data line is negative, so as to complement the polarities of the voltages respectively applied to the first select line and the second select line.
【0012】  
A second aspect of the present invention is to provide a driving method, adapted for driving a pixel via a first select line and a second select line, comprising:
alternately changing the polarities of the voltages respectively applied to the first select line and the second select line when the polarities are updated in each frame, so as to complement the polarities of the voltages respectively applied to the first select line and the second select line.
Following are preferred embodiments of the second aspect of the present invention.
(1)    A predetermined rule is followed to change the polarities of the voltages respectively applied to the first select line and the second select line.
(2)    In the above (1), the predetermined rule is to change the polarities of the applied voltageswithin a certain number of frame times.
【0013】  
(3)    In the second aspect of the present invention, the polarities of the voltages respectively applied to the first select line and the second select line are changed in a random manner.
(4)    In the above (3), the random manner is to change the polarities of the applied voltages within a random number of frame times.
A third aspect of the present invention is to provide a driving circuit for a matrix driving display, the driving circuit being connected with a display panel, wherein the display panel comprises a plurality of pixels arranged in a form of a matrix, each of the pixels being selectively driven by a first select line and a second select line, the display data being transferred to the pixel via a data line; the driving circuit comprising:
a shift register, having a plurality of address channels adapted for receiving scan signals and storing the scan signals in the address channels according to a timing pulse signal;
an enable selecting unit, adapted for receiving an enable signal and thereby transferring the scan data stored in the address channels of the shift register;
a level shifter, connected with the enable selecting unit for receiving the transferred scan data from the address channels of the shift register and processing level shifting process;
a multiplexer, adapted for selectively outputting the level shifted scan data from the level shifter; and
an output buffer, adapted for receiving the level shifted scan data from the multiplexer and driving the pixel via a first select line and a second select line corresponding to the pixel, wherein the polarities of the voltages respectively applied to the first select line and the second select line can be alternately changed when the polarities of each frame is updated, so as to complement the polarities of the voltages respectively applied to the first select line and the second select line.
Following are preferred embodiments of the third aspect of the present invention.
【0014】
(1)    A predetermined rule is followed to change the polarities of the voltages respectively applied to the first select line and the second select line.
(2)    In the above (1), the predetermined rule is to change the polarities of the applied voltageswithin a certain magnitude of frame times.
(3)    In the third aspect of the present invention, the polarities of the voltages respectively applied to the first select line and the second select line are changed in a random manner.
【0015】
(4)    In the above (3), the random manner is to change the polarities of the applied voltageswithin a random number of frame times.
(5)    In the third aspect of the present invention, the polarities of the voltages applied to all of the first select lines of an identical frame are positive or negative, so as to complement the polarities of the voltages respectively applied to the first select line and the second select line.
【0016】
(6)    In the third aspect of the present invention, alternatively changing polarities of the voltages applied to all of the first select lines of an identical frame is performed according to a predetermined rule,, so as to complement the polarities of the voltages respectively applied to the first select line and the second select line.
(7)    In the above (6), the predetermined rule is to change the polarities of the voltages applied within a specific number of row times.
【0017】
(8)    In the third aspect of the present invention, alternatively changing polarities of the voltages applied to all of the first select lines of an identical frame are performed according to a random manner, so as to complement the polarities of the voltages respectively applied to the first select line and the second select line.
(9)    In the above (8), the random manner is to change the polarities of the voltages applied within a random number of row times.
【0018】  
(10)   In the third aspect of the present invention, the polarity of the voltage applied to the first select line is positive if the data voltage applied to the data line is positive, and the polarity of the voltage applied to the first select line is negative if the data voltage applied to the data line is negative, so as to complement the polarities of the voltages respectively applied to the first select line and the second select line.
(11)   In the third aspect of the present invention, the polarity of the voltage applied to the first select line is negative if the data voltage applied to the data line is positive, and the polarity of the voltage applied to the first select line is positive if the data voltage applied to the data line is negative, so as to complement the polarities of the voltages respectively applied to the first select line and the second select line.
best mode for carrying out the invention
EMBODIMENT
【0019】
The present invention provides a driving method, adapted for a matrix-type driving display, the matrix-type driving display being composed of a plurality of pixels arranged in a matrix. Each of the pixels is selectively driven by a first select line and a second select line, the display data being transferred to the pixel via a data line.
【0020】
The driving method includes alternately changing the polarities of the voltages respectively applied to the first select line and the second select line when the polarities foreach frame are updated, and the polarities of the voltages respectively applied to the first select line and the second select line are complementary.  The polarities of the voltages respectively applied to the first select line and the second select line are changed in a predetermined rule or in a random manner.  According to one embodiment, the predetermined rule is to change the polarities of the applied voltages within a time interval of a certain number of frame times.  According to another embodiment, the predetermined rule is to change the polarities of the voltages applied within a specific number of row times.  According to one embodiment, said random manner is to change the polarities of the applied voltages within a time interval of a random number of frame times.  According to another embodiment, the random manner is to change the polarities of the applied voltages within a random number of row times.
【0021】
In the driving method of the present invention, the polarity of those voltages applied to all of the first select lines for an identical frame can be positive, and the second select lines are applied with the voltages of complementary polarity. In an embodiment of the invention, the positive and negative polarities of those voltages applied to all of the first select lines for an identical frame are regularly distributed, and the second select lines are appliedwith the voltages of complementary polarity.
【0022】
According to an embodiment of the invention, when the positive and negative polarities of those voltages applied to all of the first select lines for an identical frame are regularly distributed,all of the odd first select lines areapplied with voltages of positive polarity and all of the even first select lines are applied with voltages of negative polarity, and also the second select lines areapplied with the voltages of complementarypolarity.
【0023】
The embodiments are given below for illustrating the invention in detail.
【0024】
FIG. 4Ais a schematic diagram of a equivalent circuit structure of a pixel in a matrix-type driving display applying the driving method according to the embodiment of the invention.  Referring to FIG. 4A, the pixel structure 400 includes a pair of bidirectional threshold voltage device 410 and 420, and an equivalent capacitor 430.  Each of the bidirectional threshold voltage devices 410 and 420 used for example has two threshold voltages, which are substantially equal in magnitude and opposite in polarity.  According to an embodiment, the bidirectional threshold voltage devices 410 and 420 for example can be composed of bidirectional diodes, or in another embodiment they can be components having threshold voltages such as a thin film transistor (TFT), depending on the design requirement.  And the equivalent capacitor 430 for example can be an liquid crystal (LC) capacitor when applied in a TFT-LCD.
【0025】
The pixel structure 400 is connected with nth select lines SAnand SBn and ithdata line Di, wherein the values of n and i are determined according to the structure of the display.  The selection of the pixels is determined by the electric potential of the select lines SAn and SBn, and the pixel data is inputted via the data line Di.
【0026】
When the equivalent capacitor 430 is to be charged, voltages can be applied to select lines SAn (also referred to as upper select signal line) and SBn (also referred to as lower select signal line) to accelerate the charging of the equivalent capacitor 430.  When the equivalent capacitor 430 is charged to a predetermined voltage value with a data voltage applied via the data line Di, the pair of voltages whoseabsolute values less than the threshold voltage and opposite in polarity are respectively applied to the select lines SAn and SBn for efficiently storing the charges in the equivalent capacitor 430.
【0027】
According to an embodiment of the driving method for the matrix-type driving display provided by the invention, the polarities of the voltages respectively applied to the first select line SAn and the second select line SBn can be alternately changed, without being limited to positive or negative polarity, within a time interval of a certain number of frame times, when the polarity of the data voltage applied by the data line Di is updated per frame. And all of the select lines SAn (n ranges from 1 to Nwhere N represents the number of the horizontal display lines) or all of the select lines SBn are identical in polarity during an identical frame time, respectively.  According to an aspect of the embodiment, within a time interval of four frame times, two voltages of positive polarity and two voltages of negative polarity can be applied to all of the upper select lines SAn or all of the lower select lines SBn, and necessarily, the polarities of the voltage applied to the upper select lines and the lower select lines are opposite.
【0028】
FIG. 4B is a schematic diagram of voltage levels of the select signals of the driving method according to the embodiment of the invention.  Referring to FIG. 4B, the voltage levels of the select signals applied to the select lines SAnand SBn are shown. It can be seen that within a time interval of every four frame times, the voltage levels applied to the select line SAn are Vs-Vos, Vs+Vos, -Vs-Vos, and -Vs+Vos, wherein the voltages of the first two frame times (frame n and frame n+1) are positive in polarity and the voltages of the last two frame times (frame n+2 and frame n+3) are negative in polarity; and the voltage levels applied to the select line SBn are -Vs-Vos, -Vs+Vos, Vs-Vos, and Vs+Vos, wherein the voltages of the first two frame times (frame n and frame n+1) are negative in polarity and the voltages of the last two frame times (frame n+2 and frame n+3) are positive in polarity. Wherein,Vs is the voltage of select signals, Vos is the bias voltage, andGND represents logical ground voltage which can be zero volt or adjusted according to design requirement.
【0029】
According to the equivalent circuit structure of a pixel applying the driving method in the embodiments in FIGS. 4A and 4B, a slight imprecision in the pixel fabricating process may result in defects. For example, an equivalent resistor 440 may be formed, which causes a voltage difference ΔVp acrossthe intersection point 415 of the bidirectional threshold voltage component 420 and the equivalent capacitor 430 and the bidirectional threshold voltage component 420. As to this, basing on the present invention, because the voltages applied to the select line SAn and the select line SBn can be alternately changed in a certain number of frame times without being limited to positive or negative polarity, the problem of asymmetric polarities caused by  fabrication imprecision can be solved and the flicker phenomenon of the display can be avoided accordingly.
【0030】
The equivalent resistor 440 caused by the inaccurate pixel fabricating process mentioned here is merely an example for illustrating the characteristics of the present embodiment of the present invention, but the inaccuracy may also cause another equivalent resistor for example between the bidirectional threshold voltage component 410 and the equivalent capacitor 430 or other problems, all of which can be solved via alternately applying voltages having opposite polarities to the select lines SAn and SBn within a certain number of frame times, and the asymmetric positive and negative polarities caused by the inaccuracy can be eliminated.
【0031】
For better illustrating and comparing the driving method according to the embodiment of the invention and the conventional driving method, please refer to Table 1 and 2 as below.
【Table 1】
2006343748.tif 000013
【Table 2】
2006343748.tif 000014
Herein, suppose the voltage of the select signal Vs = 15V; the bias voltage Vos =3V; the data voltage Vd = 2.5V; and the pixel voltage difference Vp = 1V, for example, and wherein Vp is the voltage of the intersection point 415 between the bidirectional threshold voltage components 410, 420 and the equivalent capacitor 430.
【0032】
From the Table 1 and 2, the pixel voltage changes in different frames in the conventional driving method and that in the driving method of the embodiment of the invention can be seen.  For the conventional driving method shown in Table 1, the pixel voltage changes in a sequence of 5V, -6V, 5V, -6V, etc; otherwise, according to the driving method of the embodiment shown in Table 2, the pixel voltage changes in a sequence of 5V, -6V, 6V, -5V etc..  In this embodiment, by alternately applying voltages with opposite polarities to the select lines SAn and SBn within a certain number of frame times, the problem of asymmetric polarities ( i.e. positive and negative polarities) caused by inaccurate pixel fabricating process can be solved.
【0033】
In order to further explain in more detail the embodiment of alternately applying voltages with opposite polarities to the select lines SAn and SBn within a certain number of frame times, please refer to FIG. 5, a schematic waveform diagram of the driving voltages according to the driving method of an embodiment of the invention.  In every four frame times, namely frame n, frame n+1, frame n+2 and frame n+3 as shown in FIG. 5, the voltage levels applied to the select line SAn are Vs-Vos, Vs+Vos, -Vs-Vos, and -Vs+Vos, wherein the voltages for the first two frame times (frame n and frame n+1) are positive in polarity and the voltages for the last two frame times (frame n+2 and frame n+3) are negative in polarity. The voltage levels applied to the select line SBn are -Vs-Vos, -Vs+Vos, Vs-Vos, and Vs+Vos , wherein the voltages for the first two frame times (frame n and frame n+1) are negative in polarity and the voltages for the last two frame times (frame n+2 and frame n+3) are positive in polarity. The data voltages Vdata are changed in the sequence of polarity inversion frame by frame, namely Vd, -Vd, Vd, -Vd; and the pixel voltages Vlc are changed in the sequence of Vd-(-Vos+ΔVp/2), -Vd-(Vos+ΔVp/2), Vd-(-Vos-ΔVp/2), and -Vd-(Vos-ΔVp/2). Wherein, the voltage difference ΔVp represents a supposed voltage difference caused by an inaccurate process, such as the foregoing equivalent resistor, Vs is the voltage of select signals, Vos is the bias voltage, and GND represents a logical ground voltage, which can be zero volt or adjusted according to design requirement.  By summing up  the four pixel voltage values, it can be seen that the driving method of the embodiment can efficiently solve the problem of asymmetric positive and negative polarities caused by an inaccurate process and further avoid the flicker phenomenon.
【0034】
The foregoing embodimentis one example taken for illustrating the present invention, and wherein for the select line SAn voltage levels of the first two frames are positive polarity and voltage levels of the last two frames are negative polarity, and for the select line SBnvoltage levels of the first two frames are negative polarity and voltage levels of the last two frames are positive polarity.  However, according to another embodiment, only if the voltage levels applied to the select lines SAnand SBn are substantially equal in magnitude and opposite in polarity, the asymmetric positive and negative polarities caused by an inaccurate fabricating process can then be preventedaccordingly.  Moreover, voltages having different polarities can also be applied to the select lines SAn and SBn within frame times of other numbers instead of four frame times, for example six or eight frame times, depending on the frame refresh frequency. The only requirement is that the voltage difference caused by the asymmetric positive and negative polarities is able to be eliminated within that specific number of frame times.
【0035】
In order to further illustrate in more detail the embodiment of alternately applying voltages having opposite polarities to the select lines SAn and SBn within a certain number of frame times, please refer to FIG. 6, a schematic waveform diagram of the driving voltages according to the driving method of another embodiment of the invention.  All of the select lines SAn and SBn can be divided into odd and even select lines, wherein different combinations of voltages can alternately applied to the odd select lines and the even select lines within each four frame times for achieving the purpose of the invention.
【0036】
As shown in FIG. 6, all of the upper select lines are divided into odd upper select lines SAn’ and even upper select lines SAn’’.  Suppose that there are N lines of upper select lines, wherein n = 1, 3, 5, … , N-1; n’ = 2, 4, 6, … , N; all of the lower select lines are divided into odd lower select lines SBn’ and even lower select lines SBn’’.  Suppose there are N lines of lower select lines, wherein n = 1, 3, 5, … , N-1; n’ = 2, 4, 6, … , N.
【0037】
Within every four frame times, namely frame n, frame n+1, frame n+2 and frame n+3 as shown, the voltage levels applied to the odd select lines SAn are Vs-Vos, Vs+Vos, -Vs-Vos, and -Vs+Vos, wherein the voltages for the first two frame times (frame n and frame n+1) are positive polarity and the voltages for the last two frame times (frame n+2 and frame n+3) are negative polarity; the voltage levels applied to the even select line SAn’ are -Vs-Vos, -Vs+Vos, Vs-Vos, and Vs+Vos , wherein the voltages for the first two frame times are negative polarity and the voltages for the last two frame times are positive polarity.
【0038】
Also, within every four frame times, namely frame n, frame n+1, frame n+2 and frame n+3 as shown, the voltage levels applied to the odd select lines SBn’ are -Vs-Vos, -Vs+Vos, Vs-Vos, and Vs+Vos, wherein the voltages for the first two frame times (frame n and frame n+1) are negative polarity and the voltages for the last two frame times (frame n+2 and frame n+3) are positive polarity; the voltage levels applied to the even select line SBn’’ are Vs-Vos, Vs+Vos, -Vs-Vos, and -Vs+Vos, wherein the voltages for the first two frame times are positive polarity and the voltages for the last two frame times are negative polarity.
【0039】
The data voltages Vdata are changed in the sequence of polarity inversion frame by frame, namely the polarity inversion between Vd and -Vd.  The data voltages of frame n, frame n+1, frame n+2 and frame n+3 are respectively changed from Vd, -Vd, Vd, -Vd to -Vd, Vd, -Vd, Vd.
【0040】
The pixel voltages Vlc in response to the odd select lines SAn’ and SBn’ are changed in the sequence of Vd-(-Vos+ΔVp/2), -Vd-(Vos+ΔVp/2), Vd-(-Vos-ΔVp/2), -Vd-(Vos-ΔVp/2); and the pixel voltages Vlc in response the even select lines San’ and SBn’ are changed in the sequence of Vd-(-Vos-ΔVp/2), -Vd+(Vos-ΔVp/2), Vd-(-Vos+ΔVp/2), -Vd-(Vos+ΔVp/2). Wherein the voltage difference ΔVp represents a supposed voltage difference caused by an inaccurate pixel fabricating process, such as the foregoing equivalent resistor, Vs is the voltage of select signals and Vosis the bias voltage, and GND represents a logical ground voltage which can be zero volt or adjusted according to design requirement.  By summing up the four pixel voltage values, the driving method of the embodiment can efficiently eliminate the asymmetric polarities caused by an inaccurate pixel fabricating process and further avoid the flicker phenomenon.
【0041】
FIG. 7 is a schematic diagram of a driving circuit for a matrix-type driving display applying the driving method according to an embodiment of the invention.  Referring to FIG. 7, the driving circuit 700 is connected to the display panel 705.  In this matrix-type driving display, each pixel of the display panel 705 is selectively driven by a pair of select lines SAn and SBn, like SA1, SB1, SA2, SB2 … to SAX, SBX as shown, wherein X is the number of address channels.  The driving circuit 700 includes a shift register 710, an enable selecting unit 720, a level shifter 730, a multiplexer 740 and an output buffer 750.  The driving circuit 700 may further include a polarity control circuit 760 connected with the multiplexer 740 and the output buffer 750 for controlling polarity switching according to received polarity switch signals POL.
【0042】
The shifter register 710 has a plurality of address channels, adapted for receiving scan start signals (“STVD” and “STVU” as shown) and storing the scan start signals in the address channels according to clock pulse signals CLK and signals of data transmission direction U_D, wherein “D” and “U” represent the direction of the data transmission that corresponds the U_D.  The enable selecting unit 720 is adapted for determining whether to transfer the data stored in the shift register 710 to the level shifter 730, the multiplexer 740 and the output buffer 750 in sequence or not, according to an enable signal OE.  The level shifter 730 is adapted for shifting voltage level of the received signals and transferring the data to the output buffer 750 via the multiplexer 740.  In the figure, VSAH and VSAL shown respectively represent the value of high-level voltage and the value of low-level voltage transferred to the select line San, and VSBH and VSBL respectively represent the value of high-level voltage and the value of low-level voltage transferred to the select line SBn.
【0043】
In summary, the present invention provides a new driving method for balancing the asymmetric polarities of conventional pixel voltages and efficiently eliminating the flicker phenomenon caused by the conventional driving method.
【0044】
Other modifications and adaptations of the above-described preferred embodiments of the present invention may be made to meet particular requirements. This disclosure is intended to exemplify the invention without limiting its scope. All modifications that incorporate the invention disclosed in the preferred embodiment are to be construed as coming within the scope of the appended claims or the range of equivalents to which the claims are entitled.
brief description of the drawings
【0045】
The accompanying drawings are included to provide a further understanding of the invention, and are incorporated in and constitute a part of this specification.  The drawings illustrate embodiments of the invention and, together with the description, serve to explain the principles of the invention.
【FIG. 1】 FIG. 1 is a schematic diagram of a conventional LCD pixel equivalent circuit.
【FIG. 2】 FIG. 2 is a schematic diagram of an LCD pixel equivalent circuit formed in an inaccurate fabricating process.
【FIG. 3】 FIG. 3 is a schematic diagram of voltage levels of select signals according to a conventional LCD driving method.
【FIG. 4A】 FIG. 4A is a schematic diagram of a pixel equivalent circuit structure of a matrix driving display applying the driving method according to the embodiment of the invention.
【FIG. 4B】 FIG. 4B is a schematic diagram of voltage levels of select signals of the driving method according to the embodiment of the invention
【FIG. 5】 FIG. 5 is a schematic waveform diagram of the driving voltages according to the driving method of an embodiment of the invention.
【FIG. 6】 FIG. 6 is a schematic waveform diagram of the driving voltages according to the driving method of another embodiment of the invention.
【FIG. 7】 FIG. 7 is a schematic diagram of a matrix driving display applying a driving method according to an embodiment of the invention.
description of numerals
【0046】
100   Pixel Structure
110   Bidirectional Diodes
120   Bidirectional Diodes
130   LC Capacitor
140   Equivalent Register
400   Pixel Structure
410   Voltage Device (Component)
415   Intersection Point
420   Voltage Device (Component)
430   Equivalent Capacitor
440   Equivalent Register
700   Driving Circuit
705   Display Panel
710   Shift Register
720   Enable Selecting Unit
730   Level Shifter
740   Multiplexer
750   Output Buffer
760   Polarity Control Circuit
【CLAIM 1】
A driving method, adapted for a matrix driving display, wherein the matrix driving display comprises a plurality of pixels arranged in a matrix, each of the pixels being selectively driven by a first select line and a second select line, data to be displayed being transferred via a data line; the driving method comprising:
alternately changing polarities of voltages respectively applied to the first select line and the second select line when a polarity of a voltage applied to the data line is updated for each frame, wherein the polarities of the voltages respectively applied to the first select line and the second select line are complementary.
【CLAIM 2】
The driving methodaccording to claim 1, wherein alternately changing polarities of voltages respectively applied to the first select line and the second select line is performed according to a predetermined rule.
【CLAIM 3】
The driving methodaccording to claim 2, wherein the predetermined rule is to change the polarities of the voltages applied within a specific number of frame times.
【CLAIM 4】
The driving methodaccording to claim 1, wherein alternately changing polarities of voltages respectively applied to the first select line and the second select line is performed in a random manner.
【CLAIM 5】
The driving method according to claim 4, wherein the random manner is to change the polarities of the voltages applied within a random number of frame times.
【CLAIM 6】 
The driving methodaccording to claim 1, wherein the voltages applied to all of the first select lines of an identical frame is positive or negative in polarity, and the polarities of the voltages respectively applied to the first select line and the second select line are complementary.
【CLAIM 7】
The driving method according to claim 1, wherein alternatively changing polarities of the voltages applied to all of the first select lines of an identical frame is performed according to a predetermined rule, and the polarities of the voltages respectively applied to the first select line and the second select line are complementary.
【CLAIM 8】
The driving method according to claim 7, wherein the predetermined rule is to change the polarities of the voltages applied within a specific number of row times.
【CLAIM 9】
The driving methodaccording to claim 1, wherein alternatively changing polarities of the voltages applied to all of the first select lines of an identical frame are performed according to a random manner, and the polarities of the voltages respectively applied to the first select line and the second select line are complementary.
【CLAIM 10】
The driving method according to claim 9, wherein the random manner is to change the polarities of the voltages applied within a random number of row times.
【CLAIM 11】
The driving method according to claim 1, wherein the polarity of the voltage applied to the first select line is positive if the data voltage applied to the data line is positive, and the polarity of the voltage applied to the first select line is negative if the data voltage applied to the data line is negative, so as to complement the polarities of the voltages respectively applied to the first select line and the second select line.
【CLAIM 12】
The driving methodaccording to claim 1, wherein the polarity of the voltage applied to the first select line is negative if the data voltage applied to the data line is positive, and the polarity of the voltage applied to the first select line is positive if the data voltage applied to the data line is negative, so as to complement the polarities of the voltages respectively applied to the first select line and the second select line.
【CLAIM 13】
A driving method, adapted for driving a pixel via a first select line and a second select line, comprising:
alternately changing the polarities of the voltages respectively applied to the first select line and the second select line when the polarities are updated in each frame, so as to complement the polarities of the voltages respectively applied to the first select line and the second select line.
【CLAIM 14】
The driving method according to claim 13, wherein a predetermined rule is followed to change the polarities of the voltages respectively applied to the first select line and the second select line.
【CLAIM 15】
The driving methodaccording to claim 14, wherein the predetermined rule is to change the polarities of the applied voltages within a certain number of frame times.
【CLAIM 16】
The driving method according to claim 13, wherein the polarities of the voltages respectively applied to the first select line and the second select line are changed in a random manner.
【CLAIM 17】
The driving methodaccording to claim 16, wherein the random manner is to change the polarities of the applied voltages within a random number of frame times
【CLAIM 18】
A driving circuit for a matrix driving display, the driving circuit being connected with a display panel, wherein the display panel comprises a plurality of pixels arranged in a form of a matrix, each of the pixels being selectively driven by a first select line and a second select line, the display data being transferred to the pixel via a data line; the driving circuit comprising:
a shift register, having a plurality of address channels adapted for receiving scan signals and storing the scan signals in the address channels according to a timing pulse signal;
an enable selecting unit, adapted for receiving an enable signal and thereby transferring the scan data stored in the address channels of the shift register;
a level shifter, connected with the enable selecting unit for receiving the transferred scan data from the address channels of the shift register and processing level shifting process;
a multiplexer, adapted for selectively outputting the level shifted scan data from the level shifter; and
an output buffer, adapted for receiving the level shifted scan data from the multiplexer and driving the pixel via a first select line and a second select line corresponding to the pixel, wherein the polarities of the voltages respectively applied to the first select line and the second select line can be alternately changed when the polarities of each frame is updated, so as to complement the polarities of the voltages respectively applied to the first select line and the second select line.
【CLAIM 19】
The driving circuit for a matrix driving display according to claim 18, wherein a predetermined rule is followed to change the polarities of the voltages respectively applied to the first select line and the second select line.
【CLAIM 20】
The driving circuit for a matrix driving display according to claim 19, wherein the predetermined rule is to change the polarities of the applied voltageswithin a certain magnitude of frame times.
【CLAIM 21】
The driving circuit for a matrix driving display according to claim 18, wherein the polarities of the voltages respectively applied to the first select line and the second select line are changed in a random manner.
【CLAIM 22】
The driving circuit for a matrix driving display according to claim 21, wherein the random manner is to change the polarities of the applied voltages within a random number of frame times.
【CLAIM 23】
The driving circuit for a matrix driving display according to claim 18, wherein the polarities of the voltages applied to all of the first select lines of an identical frame are positive or negative, so as to complement the polarities of the voltages respectively applied to the first select line and the second select line.
【CLAIM 24】
The driving circuit for a matrix driving display according to claim 18, wherein alternatively changing polarities of the voltages applied to all of the first select lines of an identical frame is performed according to a predetermined rule,, so as to complement the polarities of the voltages respectively applied to the first select line and the second select line.
【CLAIM 25】
The driving circuit for a matrix driving display according to claim 24, wherein the predetermined rule is to change the polarities of the voltages applied within a specific number of row times.
【CLAIM 26】
The driving circuit for a matrix driving display according to claim 18, wherein alternatively changing polarities of the voltages applied to all of the first select lines of an identical frame are performed according to a random manner, so as to complement the polarities of the voltages respectively applied to the first select line and the second select line.
【CLAIM 27】
The driving circuit for a matrix driving display according to claim 26, wherein the random manneris to change the polarities of the voltages applied within a random number of row times.
【CLAIM 28】
The driving circuit for a matrix driving display according to claim 18, whereinhe polarity of the voltage applied to the first select line is positive if the data voltage applied to the data line is positive, and the polarity of the voltage applied to the first select line is negative if the data voltage applied to the data line is negative, so as to complement the polarities of the voltages respectively applied to the first select line and the second select line.
【CLAIM 29】
The driving circuit for a matrix driving display according to claim 18, whereinthe polarity of the voltage applied to the first select line is negative if the data voltage applied to the data line is positive, and the polarity of the voltage applied to the first select line is positive if the data voltage applied to the data line is negative, so as to complement the polarities of the voltages respectively applied to the first select line and the second select line.
【SUMMARY】
【OBJECT】
An object of the invention is to provide a driving circuit and a driving method, adapted for efficiently solving the problem of asymmetric positive and negative polarities caused by imprecisionor deviation in pixel fabricating process of an LCD.
Another object of the invention is to provide a driving circuit and a driving method, adapted for a display, wherein the display comprises a plurality of pixels arranged in the form of a matrix, wherein each of the pixels is selectively driven by a first select line and a second select line, and the display data is transmitted to the pixel via a data line.
【MEANS FOR SOLVING】
A DSD display driving method and driving device thereof are provided.  Each of the pixels of the display is selectively driven by a pair of select lines, and the polarities of the select signals can be alternately changed in accordance with different frame times. The driving method and the driving device thereof is adapted for balancing the asymmetric positive and negative polarities of conventional pixel voltages and efficiently preventing the flicker phenomenon in a conventional driving method.
【SELECTED DRAWING】 FIG.4A
【FIG.１】
2006343748.tif 000015
【FIG.２】
2006343748.tif 000016
【FIG. ３】
2006343748.tif 000017
【FIG.４Ａ】
2006343748.tif 000018
【FIG.４Ｂ】
2006343748.tif 000019
【FIG.５】
2006343748.tif 000020
【FIG.６】
2006343748.tif 000021
【FIG.７】
2006343748.tif 000022